【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
外部から入力されるアスペクト比１６：９の映像を示す映像信号に基づいて、該映像信号で示される映像を、アスペクト比４：３の表示装置に表示させる表示制御手段と、
ユーザによる操作を受けて、前記表示制御手段による映像の表示方法を、標準サイズによる表示方法、および、該標準サイズの映像におけるＸ軸，Ｙ軸それぞれを４／３倍に拡大した拡大サイズによる表示方法、のいずれかに設定する表示方法設定手段と、を備え、
前記表示制御手段は、前記表示方法設定手段により設定された表示方法により、映像信号で示される映像を表示装置に表示させる、ように構成されている
ことを特徴とする受像装置。
【請求項２】
前記表示方法設定手段は、前記表示制御手段による映像の表示方法がユーザにより指定された際に、該指定状況を記憶装置に記憶させることにより、前記表示制御手段による映像の表示方法を設定して、
前記表示制御手段は、前記表示方法設定手段により記憶装置に記憶された指定状況で表される表示方法により、映像信号で示される映像を表示装置に表示させる
ことを特徴とする請求項１に記載の受像装置。
【請求項３】
前記表示制御手段による映像の表示方法を前記標準サイズによる表示方法または前記拡大サイズによる表示方法へと交互に切り替えるためのボタンを有し、該ボタンが操作されることにより、該操作内容を示す表示サイズ信号を送信するリモコン装置を備えており、
前記表示方法設定手段は、前記リモコン装置から表示サイズ信号が送信されてきた際、前記表示制御手段による映像の表示方法を、前記標準サイズによる表示方法から前記拡大サイズによる表示方法，または，前記拡大サイズによる表示方法から前記標準サイズによる表示方法へと設定変更する
ことを特徴とする請求項２に記載の受像装置。
【請求項４】
前記表示制御手段は、
映像を表示用データとして記憶するフレームメモリへの表示用データの書き込み，該フレームメモリからの表示用データの読み出しを行い、該読み出した表示用データに基づく映像を表示装置に表示させると共に、
前記表示方法設定手段により前記拡大サイズによる表示方法が設定されていれば、前記フレームメモリに記憶された表示用データを、該表示用データで示される映像が前記標準サイズから前記拡大サイズに拡大された映像となるようにアドレス変換した後で読み出すのに対し、前記標準サイズによる表示方法が設定されていれば、前記フレームメモリに記憶された表示用データをアドレス変換することなくそのまま読み出す、ように構成されている
ことを特徴とする請求項１から３のいずれか記載の受像装置。
【請求項５】
前記表示制御手段は、
映像を表示用データとして記憶するフレームメモリへの表示用データの書き込み，該フレームメモリからの表示用データの読み出しを行い、該読み出した表示用データに基づく映像を表示装置に表示させると共に、
前記表示方法設定手段により前記拡大サイズによる表示方法が設定されていれば、前記フレームメモリから読み出した表示用データにつき、該表示用データで示される映像を前記標準サイズから前記拡大サイズに拡大した映像として表示装置に表示させるのに対し、前記標準サイズによる表示方法が設定されていれば、前記フレームメモリから読み出した表示用データで示される映像を前記標準サイズの映像として表示装置に表示させる、ように構成されている
ことを特徴とする請求項１から３のいずれか記載の受像装置。
【請求項６】
アンテナにより受信された放送信号に基づいて映像信号を生成する復調手段と、
アスペクト比４：３の表示部と、
請求項１から５のいずれかに記載の受像装置と、を備えたテレビ受像機であって、
前記受像装置において、前記表示制御手段は、前記復調手段により生成された映像信号で示される映像を、前記表示方法設定手段により設定された表示方法により前記表示部に表示させる
ことを特徴とするテレビ受像機。
【請求項７】
記憶部に記憶された映像信号を読み出して該映像信号で示される映像を再生する映像再生手段と、
請求項１から５のいずれかに記載の受像装置と、を備えた再生装置であって、
前記受像装置において、前記表示制御装置は、前記映像再生手段により再生される映像を示す映像信号で示される映像を、前記表示方法設定手段により設定された表示方法により表示装置に表示させる、ように構成されている
ことを特徴とする再生装置。
【請求項８】
請求項１から５のいずれかに記載の受像装置に対し、該受像装置の備える表示制御手段による映像の表示方法を前記標準サイズによる表示方法または前記拡大サイズによる表示方法へと交互に切り替えるべき旨を指令するためのボタンと、
該ボタンが操作された際に、該操作内容を示す表示サイズ信号を前記受像装置に送信する信号送信手段と、を備えている
ことを特徴とするリモコン装置。
【請求項９】
請求項１から５のいずれかに記載の受像装置の備える全ての手段としてコンピュータシステムを機能させるためのプログラム。
【手続補正２】
【補正対象書類名】明細書
【補正対象項目名】発明の名称
【補正方法】変更
【補正の内容】
【発明の名称】受像装置，テレビ受像機，再生装置，リモコン装置およびプログラム
【手続補正３】
【補正対象書類名】明細書
【補正対象項目名】０００７
【補正方法】変更
【補正の内容】
【０００７】
上記課題を解決するため第１の発明は、表示方法設定手段と、表示制御手段と、を備えている。これらのうち、表示方法設定手段は、アスペクト比４：３の表示装置による映像の表示方法を、標準サイズによる表示方法，および，該標準サイズから拡大した所定の拡大サイズによる表示方法のいずれかに設定するまた、表示制御手段は、外部から入力した映像信号で示されるアスペクト比１６：９の映像を、前記表示方法設定手段により設定された表示方法にて表示装置に表示させる。そして、表示方法設定手段は、ユーザの操作を受けて映像の表示方法を設定する、ように構成されている。
【手続補正４】
【補正対象書類名】明細書
【補正対象項目名】００１２
【補正方法】変更
【補正の内容】
【００１２】
そこで、外部から入力した映像信号で示される映像が付加映像である場合において、任意に映像の表示方法を選択できるようにするために、第１の発明を、例えば、第２の発明のような受像装置とすることが考えられる。
【手続補正５】
【補正対象書類名】明細書
【補正対象項目名】００１５
【補正方法】変更
【補正の内容】
【００１５】
そこで、このようなことを実現するためには、例えば、第２の発明を、第３の発明のような受像装置とすることが考えられる。
この受像装置において、前記表示方法設定手段は、前記映像判定手段により付加映像であると判定された場合に、映像の表示方法を前記拡大サイズによる表示方法に設定する、ように構成されている。
【手続補正６】
【補正対象書類名】明細書
【補正対象項目名】００１７
【補正方法】変更
【補正の内容】
【００１７】
そのため、上述した表示方法設定手段は、この識別信号に基づいて映像信号で示される映像が付加映像であるか否かを判定するように構成すればよい。このためには、例えば、上述したいずれかの発明を、第４の発明のような受像装置とすることが考えられる。
【手続補正７】
【補正対象書類名】明細書
【補正対象項目名】００２０
【補正方法】変更
【補正の内容】
【００２０】
そこで、上述したように識別信号の有無での判定を用いない、または、識別信号の有無での判定を併用した状態で、例えば、第２〜第４のいずれかの発明を、第５の発明のような受像装置とすることが考えられる。
【手続補正８】
【補正対象書類名】明細書
【補正対象項目名】００２４
【補正方法】変更
【補正の内容】
【００２４】
また、上述した各受像装置において、表示制御手段により表示制御を行うための具体的な構成については特に限定されないが、例えば、第６の発明のような受像装置とすることが考えられる。
【手続補正９】
【補正対象書類名】明細書
【補正対象項目名】００２５
【補正方法】変更
【補正の内容】
【００２５】
この受像装置において、前記表示制御手段は、映像を表示用データとして記憶するフレームメモリへの表示用データの書き込み，該フレームメモリからの表示用データの読み出しを行い、該読み出した表示用データに基づく映像を表示装置に表示させると共に、前記表示方法設定手段により前記拡大サイズによる表示方法が設定されていれば、前記フレームメモリに記憶された表示用データを、該表示用データで示される映像が前記標準サイズから前記拡大サイズに拡大された映像となるようにアドレス変換した後で読み出すのに対し、前記標準サイズによる表示方法が設定されていれば、前記フレームメモリに記憶された表示用データをアドレス変換することなくそのまま読み出す、ように構成されている。
【手続補正１０】
【補正対象書類名】明細書
【補正対象項目名】００２６
【補正方法】変更
【補正の内容】
【００２６】
また、表示制御手段により表示制御を行うための別の構成としては、第７の発明のような受像装置とすることも考えられる。
この受像装置において、前記表示制御手段は、映像を表示用データとして記憶するフレームメモリへの表示用データの書き込み，該フレームメモリからの表示用データの読み出しを行い、該読み出した表示用データに基づく映像を表示装置に表示させると共に、前記表示方法設定手段により前記拡大サイズによる表示方法が設定されていれば、前記フレームメモリから読み出した表示用データにつき、該表示用データで示される映像を前記標準サイズから前記拡大サイズに拡大した映像として表示装置に表示させるのに対し、前記標準サイズによる表示方法が設定されていれば、前記フレームメモリから読み出した表示用データで示される映像を前記標準サイズの映像として表示装置に表示させる、ように構成されている。
【手続補正１１】
【補正対象書類名】明細書
【補正対象項目名】００２８
【補正方法】変更
【補正の内容】
【００２８】
この場合、表示制御手段は、例えば、第８の発明のように、アンテナにより受信された放送信号に基づいて映像信号を生成する映像生成手段から、該映像生成手段により生成された映像信号を入力し、該映像信号で示される映像を、前記表示方法設定手段により設定された表示方法にて表示装置に表示させる、ように構成するとよい。
【手続補正１２】
【補正対象書類名】明細書
【補正対象項目名】００２９
【補正方法】変更
【補正の内容】
【００２９】
また、表示制御手段における映像信号の入力元としては、記憶部に記憶された映像信号を読み出して該映像信号で示される映像を再生する映像再生手段が考えられる。
この場合、表示制御手段は、例えば、第９の発明のように、記憶部に記憶された映像信号を読み出して該映像信号で示される映像を再生する映像再生手段から、該映像再生手段により再生される映像を示す映像信号を入力し、該映像信号で示される映像を、前記表示方法設定手段により設定された表示方法にて表示装置に表示させる、ように構成するとよい。
【手続補正１３】
【補正対象書類名】明細書
【補正対象項目名】００３０
【補正方法】変更
【補正の内容】
【００３０】
また、第１０の発明は、ユーザの操作を受けた際に、第１〜第９のいずれかに記載の発明である受像装置に対して、映像の表示方法を標準サイズまたは拡大サイズによる表示方法に設定すべき旨を指令する設定指令手段を備えたリモコン装置である。
【手続補正１４】
【補正対象書類名】明細書
【補正対象項目名】００３１
【補正方法】変更
【補正の内容】
【００３１】
また、第１１の発明は、第１〜第９のいずれかの発明の備える全ての手段としてコンピュータシステムを機能させるためのプログラムである。
なお、このプログラムは、コンピュータシステムによる処理に適した命令の順番付けられた列からなるものであって、各種記録媒体や通信回線を介して受像装置やこれを利用するユーザに提供されるものである。
【手続補正１５】
【補正対象書類名】明細書
【補正対象項目名】００３２
【補正方法】変更
【補正の内容】
【００３２】
第１の発明によれば、外部から入力された映像信号で示される映像を、標準サイズによる表示方法、または、拡大サイズによる表示方法のいずれか任意の表示方法で表示装置に表示させることができる。ここで、画像の存在しない無画部をアスペクト比４：３の映像に付加してなる映像（付加映像）を、拡大サイズによる表示方法で映像を表示させれば、その映像の端部，つまり少なくとも無画部の一部が表示装置の表示エリアからはみ出す大きさの映像とすることができる。こうして、表示エリアからはみ出す領域は、表示装置に表示されなくなることから、結果的に無画部の少ない映像を表示することができる。
【手続補正１６】
【補正対象書類名】明細書
【補正対象項目名】００３４
【補正方法】変更
【補正の内容】
【００３４】
さらに、この状態は、拡大サイズによる表示方法に設定した以降、再度の設定変更がなされるまで維持することができる。
第２の発明によれば、外部から入力した映像信号で示される映像が付加映像でない場合において、任意に映像の表示方法を選択できるようにすることができる。
【手続補正１７】
【補正対象書類名】明細書
【補正対象項目名】００３５
【補正方法】変更
【補正の内容】
【００３５】
第３の発明によれば、外部から入力した映像信号で示される映像が付加映像である場合において、映像の表示方法を拡大サイズによる表示方法に設定することができる。
【手続補正１８】
【補正対象書類名】明細書
【補正対象項目名】００３６
【補正方法】変更
【補正の内容】
【００３６】
第４の発明によれば、映像信号に識別信号が含まれているか否かによって、その映像信号で示される映像が付加映像であるか否かを判定することができる。
第５の発明によれば、映像の端部側領域における色の属性が所定範囲内のパラメータである場合に、映像の表示方法を拡大サイズによる表示方法に設定することができる。ここで、映像の端部側領域は、映像に無画部が付加されていれば、その無画部の領域となるため、上記「所定範囲」を無画部における色の属性と一致または近似するパラメータとしておけば、付加画像における無画部を表示エリアからはみ出させて無画部の少ない画像を表示することができる。
【手続補正１９】
【補正対象書類名】明細書
【補正対象項目名】００３７
【補正方法】変更
【補正の内容】
【００３７】
さらに、映像の表示方法が色の属性に応じて設定されることから、ユーザの操作を介さずとも映像の表示方法を適切な表示方法に設定変更することができる。
第６の発明によれば、拡大サイズによる表示方法が設定されている場合には、フレームメモリに記憶された表示用データをアドレス変換することにより、ここから読み出した表示用データに基づいて表示装置に表示させる映像を拡大サイズの映像とすることができる。それに対し、標準サイズによる表示方法が設定されている場合には、フレームメモリに記憶された表示用データをアドレス変換しないため、ここから読み出した表示用データに基づいて表示装置に表示させる映像を標準サイズの映像とすることができる。
【手続補正２０】
【補正対象書類名】明細書
【補正対象項目名】００３８
【補正方法】変更
【補正の内容】
【００３８】
第７の発明によれば、拡大サイズによる表示方法が設定されている場合には、フレームメモリに記憶された表示用データを読み出した後、この表示用データに基づく映像そのものを拡大することにより、表示装置に表示させる映像を拡大サイズの映像とすることができる。それに対し、標準サイズによる表示方法が設定されている場合には、フレームメモリに記憶された表示用データを読み出した後、この表示用データに基づく映像の拡大を行わないため、表示装置に表示させる映像を標準サイズの映像とすることができる。
【手続補正２１】
【補正対象書類名】明細書
【補正対象項目名】００３９
【補正方法】変更
【補正の内容】
【００３９】
第８の発明によれば、アンテナにより受信された放送信号から生成した映像信号について、この映像信号で示される映像の表示方法をユーザの操作を受けて設定することができる。
【手続補正２２】
【補正対象書類名】明細書
【補正対象項目名】００４０
【補正方法】変更
【補正の内容】
【００４０】
第９の発明によれば、映像再生手段により再生される映像を示す映像信号に基づいて、この映像信号で示される映像の表示方法をユーザの操作を受けて設定することができる。
【手続補正２３】
【補正対象書類名】明細書
【補正対象項目名】００４１
【補正方法】変更
【補正の内容】
【００４１】
第１０の発明は、第１〜第９のいずれかの発明である受像装置に対して、ユーザが希望する映像の表示方法を通知することで、受像装置にその表示方法を設定させることができる。
【手続補正２４】
【補正対象書類名】明細書
【補正対象項目名】００４２
【補正方法】変更
【補正の内容】
【００４２】
第１１の発明であるプログラムにより制御されるコンピュータシステムは、第１〜第９のいずれかの発明である受像装置の一部を構成するのに好適である。